(57)【要約】【課題】  移動局装置の位置に応じて、無線品質が良好な無線通信システムを簡易な処理で選択して接続でき、利便性を向上させる移動通信システムを提供する。【解決手段】  移動局装置２が、キャリアレベルが良好なキャリア周波数を使用する無線通信システムの無線品質データを測定し、位置情報と無線システム名と無線品質データとを対応付けて制御装置１に送信すると共に、定期的に位置情報を付して制御装置に接続先候補の情報を要求し、受信した接続先候補に基づいて接続先のシステムを決定し、制御装置１が、受信した情報を位置情報に基づいて予め設定された複数のエリアに対応付けて位置環境情報データとして記憶し、移動局装置２からの要求に応じて、要求中の位置情報に対応するエリアの位置環境情報データを参照して、無線品質の良好なシステムを複数抽出し、無線品質データと共に接続先候補の情報として移動局装置に送信する移動通信システムである。【選択図】        図１
2011250065.tif 000002
【特許請求の範囲】
【請求項１】
複数の無線通信システムと接続可能な複数の移動局装置と、前記複数の無線通信システムを介して前記複数の移動局装置と通信を行う制御装置とを備える移動通信システムであって、
前記移動局装置が、受信した信号に基づいて位置情報を取得する位置情報測定部と、前記無線通信システムで利用されるキャリア周波数の内、受信キャリアレベルが良好なキャリア周波数について、当該各キャリア周波数を使用する無線通信システムの無線品質データを測定するセンシング処理部と、前記位置情報と前記キャリア周波数と前記無線通信システムの無線品質データとシステム名とを対応付けて周辺環境情報データとして前記制御装置に送信すると共に、定期的に前記位置情報を付して前記制御装置に接続先候補の情報を要求する位置環境情報データ取得要求を送信する環境情報処理部と、前記接続先候補の情報に基づいて接続先の無線通信システムを決定する接続システム判定部とを備え、
前記制御装置が、前記複数の移動局装置から前記周辺環境情報データを受信すると、前記周辺環境情報データに含まれる位置情報に基づいて、前記周辺環境情報データに含まれるキャリア周波数と無線通信システムの無線品質データとシステム名とを予め設定された複数のエリアに対応付けて位置環境情報データとして記憶し、前記移動局装置から、前記位置環境情報データ取得要求を受信すると、前記要求に含まれる位置情報に対応するエリアの位置環境情報データを参照して、無線品質データの良好な無線通信システムを複数抽出し、前記複数抽出された無線通信システムのシステム名とそれに対応するキャリア周波数及び無線品質データとを前記接続先候補の情報として前記移動局装置に送信する制御部を備えたことを特徴とする移動通信システム。
【発明の詳細な説明】
【技術分野】
【０００１】
本発明は、移動通信システムに係り、特に移動局装置におけるセルの移動処理や通信中のハンドオーバ処理を軽減し、利用者の利便性を向上させることができる移動通信システムに関する。
【背景技術】
【０００２】
［先行技術の説明］
移動通信が普及するにつれて、複数の無線通信システムに接続できる移動局装置が用いられるようになっている。このような移動局装置は、例えば、同じ地域で複数のセルラーシステムがサービスされている場合や、第３世代携帯電話（3rd Generation Partnership Project：３ＧＰＰ）やＷＬＡＮ（Wireless LAN）等のサービスが重複している場合等に用いることができる。
【０００３】
利用者は、複数の無線通信システムから用途によって適切な無線通信システムを選択することができ、その選択の基準となるのは、それぞれの無線通信システムを特徴付ける帯域や伝送レート、移動性などの通信方式に関連するものと、料金、サービスエリアなどサービスに関連するものなどがある。
【０００４】
このような場合、利用者としては、複数のアプリケーションを使用することを前提として、その場その場で使用するアプリケーションに応じて、それに合った無線通信システムを適応的に切替えて使用したいという要求があるが、移動通信の場合は、刻々と周辺の無線環境が変化し、必ずしも選択したい通信方式が常に利用可能とは限らない場合があり、アプリケーションに応じて一つのシステムを固定的に選択することは非常に難しい。
【０００５】
近年、複数の無線通信システムに接続できる移動局装置として、ソフトウェア無線端末が注目されている。
上記ソフトウェア無線端末は、呼接続を行うための無線部／ベースバンド処理部、及びプロトコル処理部を、全てソフトウェアで実現することにより、単一のハードウェアにおいて、複数の通信方式やアプリケーションを実現するものである。
そして、ソフトウェアを切り替えることにより、複数の通信方式やアプリケーションを切り替える。つまり、利用者は、１つの無線端末によって複数の無線システムのサービスを切り替えて受けることができるものである。
【０００６】
一方、複数の無線通信システムとの呼接続手段を持ったソフトウェア無線端末において、利用者がその用途により無線リンク接続手段を切り替えて使用する場合、使用する場所が、希望する移動通信システムのサービスエリアであるかどうかを、何らかの方法で知る必要がある。
つまり、利用者は、まずソフトウェア無線端末を希望する無線通信システムのモードに設定することで、設定されたシステムの基地局から送信される報知情報の捕捉を試み、もしその捕捉ができれば、該当システムがそこで使用可能であることを認識することが可能である。
【０００７】
しかし、その捕捉できたシステムが、その端末の存在する位置において、受けたいサービスや使用するアプリケーションにとって最適な環境を提供するかどうかはその時点では不明である。
また仮に、その時点で最適なシステムにより呼接続及び通信開始ができたとしても、端末が移動することにより、そのシステムが移動後の場所でも最適な環境を提供し続けることができるとは限らない。
【０００８】
また、利用可能な全てのシステムについて、順番に捕捉を行い、利用者に、現在使用できる無線通信システムを通知して、最適なシステムを都度選択させる方法も考えられるが、この方法では、一つの無線通信システムの捕捉をする度に、その呼接続手段を実現するために、対応したソフトウェア切り替えに伴うハードウェア、ソフトウェアの様々な設定の必要があり、これをそのソフトウェア無線端末が対応する複数の無線通信システムに対してすべて行わなければならず、非常に時間がかかってしまう。
【０００９】
［関連技術］
尚、無線通信システムに関する技術としては、特開２００３−２５９４５７号公報「マルチサービス無線通信システム」（出願人：株式会社日立国際電気他、特許文献１）がある。
特許文献１には、複数の無線システムに接続可能なマルチサービス端末が、自局の位置を検出して、外部の管理サーバに送信し、管理サーバが、利用可能な無線システムの情報を送信し、端末が複数の中から最適な無線システムを選択することが記載されている。
しかしながら、特許文献１には、端末が捕捉可能な無線システムの無線品質を測定して管理サーバに位置情報と共に送信することや、管理サーバが、複数の端末から送信された位置情報と無線システムの無線品質に基づいて、エリア毎に集計しておくこと等は記載されていない。
【先行技術文献】
【特許文献】
【００１０】
【特許文献１】特開２００３−２５９４５７号公報
【発明の概要】
【発明が解決しようとする課題】
【００１１】
しかしながら、従来のソフトウェア無線機を用いた移動通信システムでは、移動局装置の移動に応じて、最適な無線通信システムを選択するための処理の負荷が大きく、時間がかかるという問題点があった。
また、従来の移動通信システムでは、利用者独自の要求に合わせて無線通信システムを選択するのが困難であるという問題点があった。
【００１２】
本発明は、上記実状に鑑みて為されたもので、移動局装置の位置に応じて、無線品質が良好で利用者の要求に合った最適な無線通信システムを簡易な処理で選択して接続することができ、利便性を向上させることができる移動通信システムを提供することを目的とする。
【課題を解決するための手段】
【００１３】
上記従来例の問題点を解決するための本発明は、複数の無線通信システムと接続可能な複数の移動局装置と、複数の無線通信システムを介して複数の移動局装置と通信を行う制御装置とを備える移動通信システムであって、移動局装置が、受信した信号に基づいて位置情報を取得する位置情報測定部と、無線通信システムで利用されるキャリア周波数の内、受信キャリアレベルが良好なキャリア周波数について、当該各キャリア周波数を使用する無線通信システムの無線品質データを測定するセンシング処理部と、位置情報とキャリア周波数と無線通信システムの無線品質データとシステム名とを対応付けて周辺環境情報データとして制御装置に送信すると共に、定期的に位置情報を付して制御装置に接続先候補の情報を要求する位置環境情報データ取得要求を送信する環境情報処理部と、接続先候補の情報に基づいて接続先の無線通信システムを決定する接続システム判定部とを備え、制御装置が、複数の移動局装置から周辺環境情報データを受信すると、周辺環境情報データに含まれる位置情報に基づいて、周辺環境情報データに含まれるキャリア周波数と無線通信システムの無線品質データとシステム名とを予め設定された複数のエリアに対応付けて位置環境情報データとして記憶し、移動局装置から、位置環境情報データ取得要求を受信すると、当該要求に含まれる位置情報に対応するエリアの位置環境情報データを参照して、無線品質データの良好な無線通信システムを複数抽出し、複数抽出された無線通信システムのシステム名とそれに対応するキャリア周波数及び無線品質データとを接続先候補の情報として移動局装置に送信する制御部を備えたことを特徴としている。
【発明の効果】
【００１４】
本発明によれば、複数の無線通信システムと接続可能な複数の移動局装置と、複数の無線通信システムを介して複数の移動局装置と通信を行う制御装置とを備える移動通信システムであって、移動局装置が、受信した信号に基づいて位置情報を取得する位置情報測定部と、無線通信システムで利用されるキャリア周波数の内、受信キャリアレベルが良好なキャリア周波数について、当該各キャリア周波数を使用する無線通信システムの無線品質データを測定するセンシング処理部と、位置情報とキャリア周波数と無線通信システムの無線品質データとシステム名とを対応付けて周辺環境情報データとして制御装置に送信すると共に、定期的に位置情報を付して制御装置に接続先候補の情報を要求する位置環境情報データ取得要求を送信する環境情報処理部と、接続先候補の情報に基づいて接続先の無線通信システムを決定する接続システム判定部とを備え、制御装置が、複数の移動局装置から周辺環境情報データを受信すると、周辺環境情報データに含まれる位置情報に基づいて、周辺環境情報データに含まれるキャリア周波数と無線通信システムの無線品質データとシステム名とを予め設定された複数のエリアに対応付けて位置環境情報データとして記憶し、移動局装置から、位置環境情報データ取得要求を受信すると、当該要求に含まれる位置情報に対応するエリアの位置環境情報データを参照して、無線品質データの良好な無線通信システムを複数抽出し、複数抽出された無線通信システムのシステム名とそれに対応するキャリア周波数及び無線品質データとを接続先候補の情報として移動局装置に送信する制御部を備えた移動通信システムとしているので、制御装置は、各エリアにおける無線通信システム毎の最新の無線品質の情報を把握して、システム全体の運用や保守に用いることができ、また、移動局装置は、現在位置に応じた接続先候補が絞り込まれて制御装置から提供されるので、更に利用者によって設定された条件を組み合わせれば、簡易な処理で、無線品質が良好で且つ利用者の要求に合う最適な無線通信システムを選択して接続することができ、セル移動やハンドオーバの処理を軽減すると共に、利便性を向上させることができる効果がある。
【図面の簡単な説明】
【００１５】
【図１】本発明の実施の形態に係る移動通信システム（本システム）の概略構成を示す模式説明図である。
【図２】本発明の実施の形態に係る制御装置１の構成ブロック図である。
【図３】移動局装置２の構成ブロック図である。
【図４】周辺環境情報データの概要を示す説明図である。
【図５】図４に示した無線品質データの説明図である。
【図６】位置環境情報データベースの概略説明図である。
【図７】図６に示した位置環境情報データベースにおける各無線通信システムの無線品質データの説明図である。
【図８】電源投入直後の移動局装置２の処理を示すフローチャートである。
【図９】アイドルモードにおける移動局装置２の処理を示すフローチャートである。
【図１０】図９の処理２０２に示した周辺環境センシング処理を示すフローチャートである。
【図１１】本システムの移動局装置２の通信モードにおける処理を示すフローチャートである。
【図１２】制御装置１の制御部１１における位置環境情報データ集計処理を示すフローチャートである。
【図１３】制御装置１の制御部１１における位置環境情報データ配信処理を示すフローチャートである。
【発明を実施するための形態】
【００１６】
［実施の形態の概要］
本発明の実施の形態について図面を参照しながら説明する。
本発明の実施の形態に係る移動通信システムは、複数の無線通信システムを管理する制御装置を備え、移動局装置が、利用可能な全てのキャリア周波数について定期的に自局周辺でのキャリアレベルを測定し、キャリアレベルが良好なキャリア周波数を使用している無線通信システムを抽出して無線品質を測定し、自局の位置情報を付して周辺環境情報データとして制御装置に送信し、制御装置が、複数の移動局装置から受信した周辺環境情報データを集計して、所定のエリア毎に各無線通信システムの無線品質を平均化して、位置環境情報データとして記憶しておき、移動局装置から位置情報を付した問い合わせを受信すると、当該位置を含むエリアの位置環境情報データを参照して、当該エリアにおいて無線品質の良い無線通信システムを所定数だけリストアップして、それらの位置環境情報データを移動局装置に送信し、移動局装置が、受信した複数の位置環境情報データの中から利用者が任意に設定した条件に応じて最適な無線通信システムを選択して当該無線通信システムに接続するものであり、制御装置で抽出された接続先の候補の中から利用者の要求に応じて適切な接続先システムを簡易な処理で選択することができ、また、ハンドオーバの処理を簡素化することができるものである。
【００１７】
また、本移動通信システムは、移動局装置が、キャリアレベルが良好なキャリア周波数について、無線通信システムのセル毎に無線品質を測定し、自局の位置情報を付して周辺環境情報データとして制御装置に送信し、制御装置が、複数の移動局装置から受信した周辺環境情報データを、位置情報に基づいて所定のエリア毎に分類し、各無線通信システムのセル毎の周辺環境情報を平均化して、位置環境情報データベースとして記憶しておき、移動局装置から位置情報を付した問い合わせを受信すると、当該位置を含むエリアの位置環境情報データを参照して、当該エリアにおいて無線品質の良いセルを所定数だけリストアップして、それらの位置環境情報データを移動局装置に送信し、移動局装置が、受信した複数の位置環境情報データの中から利用者が任意に設定した条件に応じて最適な無線通信システムを選択して当該無線通信システムに接続するものであり、制御装置で抽出された接続先の候補の中から利用者の要求に応じて適切な接続先システムを簡易な処理で選択することができ、また、ハンドオーバの処理を簡素化することができるものである。
【００１８】
また、本移動通信システムは、制御装置に、予め無線通信システムをリストアップする際の条件として、料金や伝送速度等の選択条件を設定しておいて、制御装置が、移動局装置から問い合わせを受信すると、当該選択条件に応じて料金の安い順、伝送速度の速い順、というように複数の無線通信システムをリストアップして、当該リストアップされた接続先の候補となる無線通信システム名を移動局装置に送信し、移動局装置がリストの中から選択したり、又は当該リストを表示して利用者によって選択可能としている。
【００１９】
更に、本移動通信システムは、移動局装置から制御装置に問い合わせを送信する際に選択条件を付して送信し、制御装置が、選択条件に基づいて上位の無線通信システムから順にリストアップして、当該リストアップされた接続先の候補となる無線通信システム名を移動局装置に送信し、移動局装置がリストの中から選択したり、又は移動局装置でリストを表示して利用者によって選択可能としている。
【００２０】
［実施の形態に係る移動通信システムの構成：図１］
図１は、本発明の実施の形態に係る移動通信システム（本システム）の概略構成を示す模式説明図である。
図１に示すように、本システムは、複数の通信システム（１），（２），（３）における位置環境情報を管理する制御装置１と、複数の通信システム（１），（２），（３）に接続可能な移動局装置２とを備えている。尚、ここでは説明を簡単にするために移動局装置２は１つしか示していないが、実際には複数の移動局装置２がある。
【００２１】
制御装置１は、本システムの特徴部分であり、移動局装置２が最適な無線通信システムを選択するための候補となる無線通信システムの情報を移動局装置２に提供するものである。
具体的には、制御装置１は、移動局装置２から送信された情報に基づいて、予め設定されたエリア毎に対応付けて、各無線通信システムのセル毎にキャリアレベルや伝搬損失等の無線品質の情報を集計して位置環境情報データとして記憶しておき、移動局装置２から当該移動局装置２の位置データを付した問い合わせがあった場合に、当該位置を含むエリアの位置環境情報データを検索して、通信状態の良好な無線通信システムをリストアップして移動局装置２に報知するものである。
尚、ここでは、「エリア」は無線通信システムとは無関係に、地図上で特定の領域を示すものであり、位置座標の特定範囲に対応している。エリアの大きさや形状は任意に設定可能である。
制御装置１の処理については後で詳細に説明する。
【００２２】
移動局装置２は、ソフトウェア無線機で構成された移動端末であり、利用者によって携帯されており、ソフトウェアを切り替えてパラメータの設定を変更することにより、無線通信システム（１）、無線通信システム（２）、無線通信システム（３）…に接続可能となっている。具体的には、移動局装置２は、各通信システムの基地局（又は親局）４１，４２，４３…と無線通信を行う。また、無線通信システムを介して、制御装置１と通信を行う。
【００２３】
本システムの特徴として、移動局装置２は、自局が位置している位置情報と、その場所において捕捉可能な無線通信システムのセルについて、無線品質を測定し、制御装置１に報知する処理を行う。
また、定期的に、制御装置１に対して接続先として最適な無線通信システムの候補を問い合わせ、制御装置１からの接続先の候補の情報に基づいて、利用者の要望に合った適切な無線通信システムを選択して接続する。
移動局装置２の処理については、後で詳細に説明する。
【００２４】
また、本システムでは、各無線通信システムの基地局４１，４２，４３…が、移動局装置２から制御装置１への送信信号を受信すると、当該上り回線における無線品質を測定して、制御装置１に通知するようになっている。
【００２５】
［制御装置１の構成：図２］
次に、制御装置１の構成について図２を用いて説明する。図２は、本発明の実施の形態に係る制御装置１の構成ブロック図である。
図１に示すように、本システムの制御装置１は、コンピュータで構成され、基本的に、制御部１１と、記憶部１２と、インタフェース部１３とを備えている。
制御部１１は、ＣＰＵ等で構成される処理装置であり、記憶部１２に記憶されているプログラムを読み込んで起動することにより、移動局装置２から受信した無線品質に関するデータを集計して位置環境情報データを作成したり、問い合わせに応じて位置環境情報データを提供するといった処理を行う。
【００２６】
尚、本実施の形態では、移動局装置２で測定して制御装置１に送信される無線品質に関するデータを「周辺環境情報データ」と称し、制御装置１において、周辺環境情報データがエリア毎に集計され記憶されたデータを「位置環境情報データ」と称するものとする。
【００２７】
記憶部１２は、制御部１１における処理プログラムを記憶すると共に、移動局装置２からの周辺環境情報データを集計した位置環境情報データを記憶する位置環境情報データベース１４を備えている。位置環境情報データベース１４については後で説明する。
インタフェース部１３は、各通信システム（１）（２）（３），…に接続してそれぞれの無線通信システムの基地局（親局）４１，４２，４３…と通信を行い、各無線通信システムを介して移動局装置２と通信する。
【００２８】
［移動局装置２の構成：図３］
次に、移動局装置２の構成について図３を用いて説明する。図３は、移動局装置２の構成ブロック図である。
図３に示すように、移動局装置３は、ＧＰＳ信号受信部２１と、ＬＣＳ（LoCation Service：位置情報サービス）測定部２２と、無線部２３と、キャリアレベル測定部２４と、ベースバンド変復調部２５と、無線品質測定部２６と、報知情報取得部２７と、位置環境情報処理部２９と、接続システム判定部３０と、アプリケーションデータ送受信部３１と、主制御部３２とを備えている。
【００２９】
各構成部分について説明する。
ＧＰＳ信号受信部２１は、ＧＰＳの無線周波数帯域の信号の受信処理を行い、ベースバンド帯域に変換するものである。
ＬＣＳ測定部２２は、受信したＧＰＳ信号から移動局装置２の位置情報を取得するものである。尚、ＬＳＣとは、３ＧＰＰで提唱されている位置情報取得手法である。
尚、請求項における位置情報測定部は、ＧＰＳ信号受信部２１及びＬＣＳ測定部２２の機能を備えたものである。
【００３０】
無線部２３は、各無線通信システムの基地局装置と移動局装置２との間で通信される信号の送受信処理を行い、無線周波数帯域の信号とベースバンド帯域の信号との帯域変換をするものである。特に、本システムにおいては、無線部２３は、キャリア周波数毎の無線品質の測定や、制御装置１との周辺環境情報データ又は位置環境情報データの送受信に用いられる。
【００３１】
キャリアレベル測定部２４は、無線部２３に設定されている周波数帯の帯域全体に亘って、後述する周辺環境センシング制御部２８の指示に従って、キャリア周波数毎の受信レベルを測定する。つまり、基地局又は親局からの下り信号の受信レベルを測定する。
ベースバンド変復調部２５は、周辺環境センシング制御部２８の指示に従って、無線部２３からのベースバンド信号についてベースバンド復調処理を行い、また、制御装置１に対して周辺環境情報データを送信するためにベースバンド変調処理を行って無線部２３に出力する。
【００３２】
無線品質測定部２６は、周辺環境センシング制御部２８の指示に従って、ベースバンド変復調部２５でベースバンド復調された信号について無線品質を測定する。無線品質としては、タイミング、伝搬損失、ＳＩＲ（Signal-to-Interference Ratio：希望波対干渉波電力比）、ＢＬＥＲ（BLock Error Rate：ブロック誤り率）等が考えられる。無線品質測定部２６では、移動局装置２の現在地及びその周辺におけるセル毎（無線通信システムの周辺局毎）の無線品質が測定される。
【００３３】
報知情報取得部２７は、ベースバンド変復調部２５で復調されたデータから、各無線通信システムの報知情報を取得する部位である。具体的には、制御装置１から送信された位置環境情報データに含まれる各無線品質の情報や、システムパラメータ等が含まれる。
【００３４】
周辺環境センシング制御部２８は、無線部２３、キャリアレベル測定部２４、ベースバンド変復調部２５、無線品質測定部２６、報知情報取得部２７を制御して、定期的に移動局装置２の現在地における無線環境を検出する周辺環境センシング処理を行う。
また、各無線通信システムの報知情報上で報知されているシステムパラメータなどの情報を検出するものである。
尚、請求項に記載したセンシング処理部は、無線部２３、キャリアレベル測定部２４、ベースバンド変復調部２５、無線品質測定部２６、報知情報取得部２７、周辺環境センシング制御部２８の機能を備えたものである。
【００３５】
環境情報処理部２９は、検出されたキャリアレベルを含む無線品質と取得された位置情報とを関連付けたものを周辺環境情報データとして生成して記憶すると共に、制御装置１から周辺環境情報データの報告を要求する周辺環境情報データ報告要求に応じて、ベースバンド変復調部２５、無線部２３を介して制御装置１に周辺環境情報データを送信する。
また、環境情報処理部２９は、移動局装置２の現在地に対応する位置環境情報データの問い合わせを行うための位置環境情報データ取得要求の制御データを作成し、制御装置１に送信する。
【００３６】
接続システム判定部３０は、問い合わせに応じて制御装置１から送信された移動局装置２の現在地に対応する位置環境情報データを用いて、接続するシステムを決定したり、あるいは接続するシステムの候補を決定して、主制御部３２に通知する。
接続システム判定部３０には、予め、どのような基準で複数の候補の中から接続すべき無線通信システムを選択するか、という条件が記憶されている。条件は、利用者が任意に設定可能である。
【００３７】
接続システム判定部３０において接続システムを決定して通知する場合には、条件に最も適した無線通信システムを１つ選択し、当該無線通信システム名を主制御部３２に通知する。また、接続システムの候補を通知する場合には、条件を考慮して良好なものから複数抽出して、主制御部３２に通知し、表示部で表示させて利用者によって選択させるようにしている。
【００３８】
アプリケーションデータ送受信部３１は、移動局装置２が実行する通信アプリケーションに伴うデータ（ユーザデータ）の送受信処理を行う。
主制御部３２は、上記各構成部分を統括制御しながら、移動局装置２としての呼処理等を実行するものである。
【００３９】
［本システムの動作の概要：図１，２，３］
次に、本システムの動作の概要について図１，２，３を用いて説明する。
移動局装置２は、定期的に自局の位置情報を測定すると共に、定期的に利用可能なキャリア周波数のキャリアレベルを測定し、良好なものについて無線品質の測定を行い、環境情報処理部２９が、測定した位置情報と無線品質とを対応付けた周辺環境情報データを生成して記憶しておく。そして、制御装置１からの周辺環境情報データ報告要求を受信すると、それに応じて制御装置１に周辺環境情報データを送信する。
移動局装置２において、位置情報及び無線品質を測定する処理を環境センシング処理と呼ぶものとする。
【００４０】
制御装置１では、複数の移動局装置２からの周辺環境情報データを受信して、集計を行う。
ここで、制御装置１は、予めサービス提供を行う地域を所定のエリアに分割しておき、エリアに対応付けて、各無線通信システムからの周辺環境情報データを集計して記憶しておく。その際、制御装置１は、キャリア周波数及び無線通信システム毎に複数の移動局装置２から送信された周辺環境データを平均化して、エリアに対応付けて位置環境情報データとして記憶しておく。
つまり、位置環境情報データは、エリア毎に、利用可能な各無線通信システムの最新の無線品質の状況が記憶されているものである。
【００４１】
また、移動局装置２は、接続すべき最適な無線通信システムの候補の情報を取得するために、定期的に位置情報を測定して、環境情報処理部２９が、制御部１に当該位置情報を付して位置環境情報データの要求を送信する。
【００４２】
そして、制御装置１は、移動局装置２から位置情報を含む位置環境情報データの要求を受信すると、要求に含まれる位置情報をキーとして記憶している位置環境情報データを検索し、当該位置情報に対応するエリアにおいて通信品質が良好な無線システムを所定数抽出して、それらのシステムに関するシステム名及び位置環境情報データをリストとして移動局装置２に送信する。
【００４３】
移動局装置２では、制御装置１から受信したリストに基づいて、予め設定されている条件に従って接続する無線通信システムを選択し、当該システムに接続する。又は、リストに記載された無線通信システム名の中から接続先候補となる複数の無線通信システム名を表示して、利用者に選択させる。
このようにして、本システムの動作の概略が行われるものである。
【００４４】
［周辺環境情報データ概要：図４］
次に、移動局装置２から制御装置１に対して送信される周辺環境情報データについて図４を用いて説明する。図４は、周辺環境情報データの概要を示す説明図である。
移動局装置２において定期的に行われる周辺環境センシング処理では、キャリアレベル測定部２４が、全てのキャリア周波数（キャリア周波数＃０，＃１，…）について、それぞれキャリアレベルを測定して周辺環境センシング制御部２８に出力する。
【００４５】
周辺環境センシング制御部２８では、キャリアレベルの上位から所定数（ｘ）のキャリア周波数を抽出し（キャリア周波数＃ａ，＃ｂ，…）、無線品質測定部２６に無線品質測定の指示を出力する。つまり、無線品質を測定するのは、現在地において捕捉可能なｘ個のキャリアである。
尚、１つのキャリアを複数の無線通信システムや同一システムの複数周辺局が使用していることもあり、その場合には、同一キャリア周波数に対応して複数のセルが存在する。
【００４６】
そして、無線品質測定部２６が、抽出されたｘ個のキャリア周波数について、当該キャリア周波数を利用している全ての無線通信システム（無線通信システム名＃ｍ，＃ｎ，…）の無線品質を測定して環境情報処理部２９に出力する。
【００４７】
図４に示すように、周辺環境情報データとしては、移動局装置２が測定した位置データ（ｘ1，ｙ1）と、当該移動局装置２の位置においてキャリアレベルが高いｘ個のキャリア周波数（キャリア周波数＃ａ，＃ｂ，…）のキャリアレベルが記憶され、更に、当該キャリア周波数を使用する全て無線通信システムの無線品質データが記憶されている。
無線品質データについては後述する。
【００４８】
［無線品質データ：図５］
図４に示した無線品質データについて図５を用いて具体的に説明する。図５は、図４に示した無線品質データの説明図である。
無線品質データには、キャリアレベルが良好なｘ個のキャリア周波数について、各キャリア周波数を使用している無線通信システムの周辺局毎（セル毎）に測定された無線品質が含まれるものである。
周辺局とは、当該無線通信システムの基地局又は親局であり、移動局装置２は、受信信号に含まれる報知情報から周辺局番号を特定する。
移動局装置２で測定される無線品質データとしては、タイミングと、伝搬遅延と、ＳＩＲと、ＢＬＥＲとが含まれる。
【００４９】
つまり、移動局装置２で測定される無線品質データは、キャリア周波数＃ａ，＃ｂ，…のそれぞれについての、無線通信システム名＃ｍ，＃ｎ，…の周辺局毎に測定されたタイミングと、伝搬遅延と、ＳＩＲと、ＢＬＥＲの測定データである。図５の例では、キャリア周波数＃ａの無線通信システム名＃ｍでは、周辺局番号＃ｐと＃ｑが検出されており、それぞれについて無線品質データが測定されている。
【００５０】
従って、制御装置１からの周辺環境情報データ報告要求に応じて、移動局装置２の環境情報処理部２９から送信される周辺環境情報データは、図４と図５の内容を全て含むものであり、各移動局装置２の位置情報と、その位置において捕捉可能な所定数のキャリア周波数及びそのキャリアレベルと、当該キャリア周波数を使用している無線通信システムのセル（周辺局）毎の下り回線の無線品質データとを対応付けた情報となっている。
【００５１】
［位置環境情報データベース：図６］
次に、制御装置１の記憶部１３に設けられている位置環境情報データベースについて、制御装置１の動作を交えて説明する。図６は、位置環境情報データベースの概略説明図である。
まず、移動局装置２から制御装置１宛に周辺環境情報データが送信されると、当該移動局装置２が接続している無線通信システムの基地局又は親局がその信号を受信して、その際に移動局装置２から当該基地局への上り回線の無線品質を測定する。上り回線の無線品質としては、上り干渉量や、最大（許容）伝送速度等がある。基地局は、周辺環境情報データと上り回線の無線品質のデータとを制御装置１に送信する。
【００５２】
制御装置１は、複数の無線通信システムを介して、複数の移動局装置２からの、図４，５に示した周辺環境情報データと、それに伴う上り回線の無線品質データを受信して、エリア毎に集計し、エリア毎の位置環境情報データとして位置環境情報データベース１４に記憶しておく。
尚、制御装置１には、予めエリア情報として、エリア番号と当該エリアがカバーする領域の位置データ（ｘ、ｙ）との対応付けが記憶されており、位置データが特定されるとどのエリアに属するか認識可能となっている。
【００５３】
つまり、制御装置１は、受信した周辺環境情報データ及び上り回線の無線品質データを、位置データに基づいてどのエリアに対応するかを判定し、同一エリアに対応付けられた複数の周辺環境情報データについて、更に、キャリア周波数、無線通信システム名、周辺局番号によって分類し、データの平均化を行う。
【００５４】
具体的には、制御装置１は、同一エリアの同一キャリア周波数についてキャリアレベルを平均化し、更に、無線通信システム名及び周辺局番号毎に、下り回線の無線品質のデータ（ＳＩＲ，ＢＬＥＲ等）と、上り回線の無線品質のデータを平均化する。
そして、各エリアにおいて捕捉可能なキャリア周波数及びそのキャリアレベルと、セル毎の（周辺局毎の）無線品質のデータを、エリア毎の位置環境情報データとして記憶する。
【００５５】
図６に示すように、位置環境情報データベースは、予め設定されているエリア番号毎に、当該エリア内に位置する移動局装置２で捕捉されたキャリア周波数番号に対応して、キャリアレベルと、当該キャリア周波数を使用する全ての無線通信システムの無線品質データとを記憶しているものである。
記憶されている項目は、図４に示した周辺環境情報データと同様であるが、図６の位置環境情報データは、複数の移動局装置２から送信された周辺環境情報データをエリア毎に集計したものである点が異なっている。
【００５６】
図６の例では、図４，５の周辺環境情報データを送信した移動局装置２が位置しているエリア（エリア＃０）の位置環境情報データを示している。つまり、位置情報（ｘ1，ｙ1）の地点を含むエリアの位置環境情報データである。
図６に示すように、エリア番号＃０に対応して、キャリア周波数番号＃ａ，＃ｂ，＃ｃ…と、それぞれのキャリアレベルと、各キャリア周波数を使用している無線通信システム＃ｍ，＃ｎ…の無線品質データが記憶されている。
【００５７】
［位置環境情報データベースにおける無線品質データ：図７］
図６に示した位置環境情報データベースにおける各無線通信システムの無線品質データについて図７を用いて説明する。図７は、図６に示した位置環境情報データベースにおける各無線通信システムの無線品質データの説明図である。
図７に示すように、位置環境情報データベースにおける無線品質データは、図５に示した周辺環境情報データベースにおける無線品質データと同様に、キャリア周波数＃ａ，＃ｂ，…のそれぞれについて、無線通信システム名＃ｍ，＃ｎ，…の周辺局＃ｐ，＃ｑ毎に測定された、下り回線の無線品質データである、タイミングと、伝搬遅延と、ＳＩＲと、ＢＬＥＲのデータを含み、更に、上り回線の無線品質データとして、上り干渉量、最大伝送速度、セル半径等が付加されて記憶されている。尚、最大伝送速度は、その時点での無線品質に応じて許容される最大の伝送速度である。
【００５８】
従って、位置環境情報データベースは、周辺環境情報データをエリア毎に集計した、そのエリアで捕捉可能なキャリア周波数及び無線通信システムの無線品質の情報に、更に網側で情報を付加して記憶しているものであり、図６，図７の内容を全て含むものである。
【００５９】
［移動局装置２の処理］
次に、移動局装置２の処理について説明する。
［電源投入直後の移動局装置２の処理：図８］
まず、電源投入直後の移動局装置２の処理について図８を用いて説明する。図８は、電源投入直後の移動局装置２の処理を示すフローチャートである。
図８に示すように、電源が投入されると、移動局装置２は、予め設定されているデフォルト（default）の無線通信システムで立ち上がり（１００）、ＬＣＳ測定部２２で位置測定を行い（１０２）、環境情報処理部２９に出力する。環境情報処理部２９は、受信した位置情報を記憶する。
【００６０】
そして、環境情報処理部２９が、当該位置において接続先となる接続先候補の無線通信システムの情報を取得するために、制御装置１（図では「網側」）に位置環境情報データの問い合わせを行う。具体的には、環境情報処理部２９は、移動局装置２の識別番号を含む位置環境情報取得要求の制御データを作成し、制御装置１に送信する（１０４）。
【００６１】
そして、無線部２３で制御装置１から、接続先候補の無線通信システムのシステム名とキャリア周波数及び無線品質データを含む位置環境情報データを受信すると、環境情報処理部２９が、位置環境情報データより各パラメータを取り出す（１０６）。パラメータとは、位置環境情報データに含まれる個々のデータであり、制御装置１でリストアップされた当該位置で利用可能な複数の無線通信システムについてのキャリア周波数や、ＳＩＲ、最大伝送速度等の無線品質の情報である。
そして、接続システム判定部３０が、パラメータの内容に基づいて、予め記憶されている条件を考慮してどのシステムと接続すべきかを判断する（１０８）。
【００６２】
判定の条件としては、例えば、上りの干渉量が一番少ないシステムを選択するとか、最大伝送速度の一番速いシステムを選択するとか、伝搬損失が一番小さいシステムを選択する、といったように、利用者が各種パラメータやその組み合わせによって任意に条件を設定しておくことが可能である。また、料金等の無線品質とは関係ないパラメータを無線通信システムに対応付けて移動局装置２に記憶しておき、料金を選択条件に含めることも可能である。
【００６３】
これにより、制御装置１から提供された無線品質が良好な複数の無線通信システムの中から、利用者にとって最も都合のよい無線通信システムを選択することができるものである。
また、位置環境情報データで受信した複数の無線通信システム名を接続先候補として移動局装置２の表示部に表示させて、利用者に選択させるようにしてもよい。
【００６４】
そして、移動局装置２の主制御部３２は、接続システム判定部３０又は操作部で選択された無線通信システムに接続し、アイドルモードに移行する（１１０）。このようにして、移動局装置２における電源投入時の処理が行われるものである。
【００６５】
尚、図８の処理１０２〜１０８を接続システム判定処理と称する。本システムの移動局装置２では、定期的に接続システム判定処理を行うことにより、常に利用者にとって最適な無線通信システムへの接続を可能とするものである。
【００６６】
［アイドルモードにおける移動局装置２の処理：図９］
次に、アイドルモードにおける移動局装置２の処理について図９を用いて説明する。図９は、アイドルモードにおける移動局装置２の処理を示すフローチャートである。
図９に示すように、移動局装置２の周辺センシング制御部２８は、アイドルモードになると、周辺環境センシングを開始するタイミングであるかどうかを判断する（２００）。
周辺環境センシングを開始するタイミングではなかった場合（Noの場合）には、移動局装置２は、処理２０４に移行する。
【００６７】
処理２００で、周辺環境センシングを開始するタイミングであった場合（Yesの場合）には、周辺環境センシング制御部２８は、無線部２３、キャリアレベル測定部２４、無線品質測定部２６に対して測定開始を指示して、キャリアレベルを測定し、良好なものについて無線品質を測定して環境情報処理部２９に出力する。
そして、環境情報処理部２９は、記憶している最新の位置情報と、周辺環境センシング処理で測定されたキャリア周波数及びそのキャリアレベルと無線品質データとに基づいて周辺環境情報データを作成し、記憶しておく。キャリアレベルや無線品質の測定から周辺環境情報データの生成までの処理を周辺環境センシング処理とする（２０２）。
周辺環境センシング処理については後で詳細に説明する。
【００６８】
そして、環境情報処理部２９は、制御装置１（図では「網側」）から周辺環境情報データの報告要求があったかどうかを判断し（２０４）、要求がなかった場合（Noの場合）には、移動局装置２は処理２０８に移行する。
また、処理２０４で制御装置１から周辺環境情報データの要求があった場合（Yesの場合）には、環境情報処理部２９は、周辺環境情報データをベースバンド変復調部２５及び無線部２３を介して制御装置１に送信する（２０６）。
【００６９】
そして、環境情報処理部２９は、接続システムを判定するタイミングになったかどうかを判断し（２０８）、接続システム判定の開始タイミングであれば（Yesの場合）、図８の処理１０２〜処理１０８に示した接続システム判定処理を行う（２１０）。
処理２０８で接続システム判定の開始タイミングでなければ（Noの場合）、移動局装置２は処理２００に移行する。
このようにして移動局装置２におけるアイドルモードの処理が行われるものである。
【００７０】
［周辺環境センシング処理：図１０］
次に、図９の処理２０２に示した周辺環境センシング処理について図１０を用いて説明する。図１０は、図９の処理２０２に示した周辺環境センシング処理を示すフローチャートである。
移動局装置２の周辺環境センシング制御部２８は、まず、無線部２３にキャリアレベルを測定するキャリア周波数を設定する（３００）。無線部２３では、設定されたキャリア周波数で受信信号のベースバンド変換を行う。
【００７１】
そして、キャリアレベル測定部２４が、設定されたキャリア周波数についての下りキャリアレベルを測定し（３０２）、周辺環境センシング制御部２８に出力する。周辺環境センシング制御部２８では、キャリア周波数とキャリアレベルとを対応付けて記憶しておく。
【００７２】
そして、周辺環境センシング制御部２８は、利用可能な帯域に含まれる全てのキャリア周波数を設定し終わったかどうか、つまり最終キャリアまでキャリアレベルの測定を行ったかどうかを判断し（３０４）、まだキャリア周波数が残っている場合（Noの場合）には、処理３００に移行して次のキャリア周波数を設定する。
【００７３】
処理３０４で、全てのキャリア周波数についてキャリアレベルの測定が終わった場合（Yesの場合）には、周辺環境センシング制御部２８が、記憶した全てのキャリア周波数のキャリアレベルの一覧であるキャリアレベルリストを作成する（３０６）。
そして、周辺環境センシング制御部２８は、キャリアレベルリストをキャリアレベルの大きい順に並べ替えて（ソートして）、上位ｘ個のキャリア周波数を抽出する（３０８）。ｘは、予め設定されている所定数である。
【００７４】
次に、抽出されたｘ個のキャリア周波数について、当該キャリア周波数を用いている無線通信システムの無線品質を測定する。
まず、周辺環境センシング制御部２８は、抽出されたｘ個の中のキャリア周波数の中の最初のキャリア周波数を無線部２３に設定する（３１０）。
更に、周辺環境センシング制御部２８は、ベースバンド変復調部２４、無線品質測定部２６、報知情報取得部２７に、当該キャリア周波数を用いている無線通信システムのパラメータを設定する（３１２）。
【００７５】
そして、移動局装置２の報知情報取得部２７は、無線部２３及びベースバンド変復調部２４を介して受信した信号から、当該無線通信システムの報知情報を解析して、接続した周辺局のＩＤ、システム名、及び他のシステムパラメータを取得して（３１４）、システム名及び周辺局ＩＤを環境情報処理部２９に出力する。
また、無線品質測定部２６が、当該無線通信システムについてＳＩＲやＢＬＥＲ等の無線品質を測定し（３１６）、環境情報処理部２９に出力する。
【００７６】
そして、周辺環境センシング制御部２８は、当該キャリア周波数を使用している無線通信システムは他にないかどうかを確認し（３１８）、他にもある場合（Noの場合）には、処理３１２に移行して次の無線通信システムを設定し、同様の処理を繰り返す。
また、処理３１８で他の無線通信システムがない場合（Yesの場合）には、周辺環境センシング制御部２８は、処理３０８で抽出されたｘ個のキャリア周波数についての無線品質の測定が終わったかどうかを判断し（３２０）、終わっていない場合には（Noの場合）、処理３１０に移行して次のキャリア周波数を設定する。
【００７７】
処理３２０において、ｘ個のキャリア周波数についての無線品質の測定が終わった場合（Yesの場合）には、環境情報処理部２９が、位置情報と、キャリア周波数及びキャリアレベルと、無線品質データと、無線システム名及び周辺局ＩＤに基づいて、周辺環境情報データを作成し、記憶しておく（３２２）。
このようにして、周辺環境センシング処理が行われるものである。
【００７８】
［通信モードにおける処理：図１１］
次に、移動局装置２の通信モードにおける処理について図１１を用いて説明する。図１１は、本システムの移動局装置２の通信モードにおける処理を示すフローチャートである。
通信モードは、移動局装置２の通信中の動作モードであり、移動に伴うセルやシステムの移行を行うモードである。通信中は、ハンドオーバ状態を経て同一無線通信システム内でセルを移動したり、異なる無線通信システムに移動することが予想される。
【００７９】
図１１に示すように、移動局装置２は、通信が開始されると、その位置における最適なシステムで通信できるように、接続システム判定処理を行う（４００）。
そして、主制御部３２は、選択された最適システムで、従来と同様の呼接続処理を実施する（４０２）。呼接続後は、通常のアプリケーションデータの送受信や呼接続中のセルの品質測定等を行う（４０４）。
【００８０】
そして、主制御部３２は、呼接続中のセルの品質や、通信そのものの品質が所定の品質を満たしているかどうかを監視して（４０６）、呼接続セルの品質が所定の品質を満たしていれば（Yesの場合）処理４０４に移行する。
【００８１】
また、処理４０６で、呼接続中のセルの品質が所定の品質未満であった場合（Noの場合）には、移動局装置２の環境情報処理部２９及び接続システム判定部３０は、接続システム判定処理を行う（４０８）。
そして、接続システム判定部３０は、受信した位置環境情報データに含まれる接続先候補の情報に基づいて、現在呼接続を行っているセルよりも品質のよいシステムのセルや、同じシステムの別のセルがあるかどうかを判断し、良好なものがあればそれを選択して、主制御部３２に通知する。主制御部３２は、当該システム又は当該セルに移行する処理を行う（４１２）。
【００８２】
このように、本システムの移動局装置２では、制御装置１からの位置環境情報データに、現在の位置で検出可能なセルの情報がその無線品質の情報と共に含まれているので、無線品質を確認することにより、移行先のセルの選択精度を高めることができるものである。
このようにして通信モードにおける移動局装置２の処理が行われるものである。
【００８３】
［制御装置１の処理］
次に、制御装置１の処理について説明する。
［位置環境情報データ集計処理：図１２］
まず、制御装置１における位置環境情報データ集計処理について図１２を用いて説明する。図１２は、制御装置１の制御部１１における位置環境情報データ集計処理を示すフローチャートである。
図１２に示すように、制御装置１の制御部１１（以下「制御装置１」とする）は、定期的に無線通信システムを介して各移動局装置２に周辺環境情報データを要求する（５００）。周辺環境情報データには、各移動局装置２が検出したキャリアレベル上位ｘ個のセル情報が無線品質データと共に含まれている。尚、セル情報には、キャリア周波数及びキャリアレベル、無線通信システム名、周辺局ＩＤが含まれる。
【００８４】
そして、制御装置１は、無線通信システムを介して移動局装置２から周辺環境情報データを受信すると、周辺環境情報データに含まれる位置情報に基づいて、エリア毎（エリア番号毎）に対応付けて記憶する（５０４）。尚、制御装置１が受信する周辺環境情報データには、上りの無線品質データが付されている。
【００８５】
更に、制御装置１は、エリア毎に分類された周辺環境情報データに基づいて、キャリア周波数、無線通信システム、周辺局毎に下りの無線品質データを平均化する（５０６）。
そして、制御装置１は、網側で認識できる、上り干渉量、最大伝送速度、セル半径等の情報を平均化して得られた上りの無線品質データを付加して、位置環境情報データを生成する（５０８）。これにより、各エリアで捕捉可能な無線通信システムのセル毎に無線品質データが平均化されるものである。
そして、制御装置１は、エリア毎の位置環境情報データを位置環境情報データベース１４に記憶する（５１０）。
このようにして位置環境情報データ集計処理が行われるものである。
【００８６】
［位置環境情報データ配信処理：図１３］
次に、制御装置１における位置環境情報データ配信処理について図１３を用いて説明する。図１３は、制御装置１の制御部１１における位置環境情報データ配信処理を示すフローチャートである。尚、位置環境情報配信処理は、接続先候補の情報を配信する処理である。
図１３に示すように、制御装置１は、移動局装置２から位置環境情報データの取得要求を受信したかどうかを判断し（６００）、受信した場合（Yesの場合）には、当該要求に含まれる移動局装置２の位置情報を読み取って、位置情報に対応するエリア番号を特定する（６０２）。
【００８７】
そして、制御装置１は、当該エリア番号の位置環境情報データを参照して、無線品質の良好なセルを所定数抽出する（６０４）。抽出する際の基準としては、予め制御装置１に設定されているパラメータ又は複数のパラメータを組み合わせた条件を用いる。例えば、最大伝送速度が大きい順、ＳＩＲが良好な順、といった条件で抽出する。キャリアレベルを条件とすることも可能である。尚、セルを抽出するというのは、特定の無線通信システムの特定の周辺局を抽出することである。
【００８８】
そして、制御装置１は、抽出した複数セルの位置環境情報データを無線品質の良好な順にリストにして、接続先候補の情報として要求元の移動局装置２に送信する。
接続先候補の情報として送信される情報は、抽出した複数セルの位置環境情報データのうち、キャリア周波数、無線通信システム名、無線品質データを含むものである。
【００８９】
また、接続先候補の情報は、位置環境情報データの全ての項目ではなく、例えば、ＳＩＲや最大伝送速度等、予め制御装置１に設定された特定の項目のみを送信することも可能である。
このようにして制御装置１の位置環境情報データ配信処理が行われるものである。
【００９０】
これにより、要求元の移動局装置２は、現在地において接続可能な無線通信システム及び周辺局の候補及びそれらの無線品質情報を制御装置１から位置環境情報データとして受信することができ、位置環境情報データに基づいて、簡単な処理で精度よく良好な品質の無線通信システム及び周辺局を接続先のシステムとして選択することができるものである。
【００９１】
また、制御装置１に、接続先候補を抽出する条件として、キャリアレベルの大きい順や、料金の安い順といった条件を設定しておき、制御装置１が、当該エリアで捕捉可能なセルの中から当該条件に従って上位のセルを選択して条件に合致する順にリストアップして、移動局装置２に送信することも可能である。また、無線品質のパラメータと、これらの条件を組み合わせた条件としてもよい。
【００９２】
更に、移動局装置２が、位置環境情報データ取得要求に接続先候補を抽出するための条件を含めて送信し、制御装置１が、捕捉可能なセルの中から当該条件に従って上位のセルを選択して条件に合致する順にリストアップして、移動局装置２に送信するようにしてもよい。
【００９３】
［実施の形態の効果］
本発明の実施の形態に係る移動通信システムによれば、移動局装置２が、定期的に受信したＧＰＳ信号から位置情報を取得し、利用可能なキャリア周波数についてキャリアレベルの測定を行い、キャリアレベルが大きい所定数のキャリア周波数について、当該キャリア周波数を使用している無線通信システムのセル毎に下りの無線品質を測定し、環境情報処理部２９が、位置情報と、キャリア周波数と、無線通信システムのセル毎の無線品質のデータとを対応付けて周辺環境情報データとして制御装置１に送信し、制御装置１が、複数の移動局装置２から受信した周辺環境情報データと無線通信システムで付加された上りの無線品質のデータを、各周辺環境情報データに含まれる位置情報に基づいて、予め設定されているエリア毎に対応付け、無線通信システムの周辺局毎（セル毎）に無線品質を平均化して位置環境情報データを生成して、位置環境情報データベース１４に記憶しておき、移動局装置２から、位置情報を付加した位置環境情報データ取得要求を受信すると、当該位置情報に対応するエリアの位置環境情報データを参照して、無線品質が良好な無線通信システムの周辺局を抽出して、当該セルの位置環境情報データを接続先候補の情報として当該移動局装置２に送信し、移動局装置２では、接続システム判定部３０が、受信した位置環境情報データを解析して、予め設定された選択条件に基づいて接続システムを決定して主制御部３２に通知し、主制御部３２が当該無線通信システムに接続するようにしているので、制御装置１ではエリア毎に各無線通信システムの最新の上り及び下りの無線品質の状況を把握することができ、移動局装置２では、位置情報を送信すれば当該位置において接続可能なセルの情報としてキャリア周波数及び無線通信システム及び周辺局の複数の情報とそれぞれの無線品質を取得して、その中から利用者の要求に合ったシステムを選択すればよく、簡易な処理で最適なシステムに接続することができ、ハンドオーバの処理を軽減し、利便性を向上させることができる効果がある。
【００９４】
また、制御装置１に予め接続候補のセルを抽出するための条件を設定しておき、制御装置１が、当該条件に合致する順にセルをリストアップして、移動局装置２に送信するようにしてもよい。
【００９５】
更に、移動局装置２が、位置環境情報データ取得要求を送信する際に、接続候補のセルを抽出する条件を付加して送信し、制御装置１が当該条件に従って候補のセルをリストアップして送信してもよく、利用者の要求に応じてより適切な接続先候補を抽出することができる効果がある。
【産業上の利用可能性】
【００９６】
本発明は、特に移動局装置におけるセルの移動処理や通信中のハンドオーバ処理を軽減し、利用者の利便性を向上させることができる移動通信システムに適している。
【符号の説明】
【００９７】
１…制御装置、  ２…移動局装置、  １１…制御部、  １２…記憶部、  １３…インタフェース部、  ２１…ＧＰＳ信号受信部、  ２２…ＬＣＳ測定部、  ２３…無線部、  ２４…キャリアレベル測定部、  ２５…ベースバンド変復調部、  ２６…無線品質測定部、  ２７…報知情報取得部、  ２８…周辺環境センシング制御部、  ２９…環境情報処理部、  ３０…接続システム判定部、  ３１…アプリケーションデータ送受信部、  ３２…主制御部
【図１】
2011250065.tif 000003
【図２】
2011250065.tif 000004
【図３】
2011250065.tif 000005
【図４】
2011250065.tif 000006
【図５】
2011250065.tif 000007
【図６】
2011250065.tif 000008
【図７】
2011250065.tif 000009
【図８】
2011250065.tif 000010
【図９】
2011250065.tif 000011
【図１０】
2011250065.tif 000012
【図１１】
2011250065.tif 000013
【図１２】
2011250065.tif 000014
【図１３】
2011250065.tif 000015